(57)【特許請求の範囲】
【請求項１】
携帯端末の充電機能を有する充電器であって、
前記携帯端末の着脱を検出する検出部と、
制御信号を無線通信可能な被制御対象に送信する送信部と、
前記携帯端末が出力した前記被制御対象を制御するための制御データを受信する受信部と、
前記検出部が前記携帯端末の着脱を検出した場合に、前記受信部が受信した前記制御データに基づいて前記被制御対象を制御する前記制御信号を生成し、前記送信部に出力する制御部と、
前記制御データに基づいて前記被制御対象を制御するか否かを判断する判断部を有し、
前記制御部は、
前記判断部が前記被制御対象を制御するものと判断した場合には、前記制御信号を生成する
充電器。
【請求項２】
前記制御データには、前記被制御対象の制御を開始するトリガとなる情報が含まれ、
前記判断部は、
前記情報により、前記被制御対象を制御するか否かを判断する
請求項１記載の充電器。
【請求項３】
前記制御データを格納する記憶部を有し、
前記制御部は、
前記検出部が前記携帯端末の装着を検出した場合には、前記受信部が受信した前記制御データを前記記憶部に格納し、前記被制御対象を制御する場合には、前記記憶部に格納されている前記制御データを参照して前記制御信号を生成する
請求項１または２に記載の充電器。
【請求項４】
前記携帯端末は、
前記充電器に着脱されたことを検出する端末用検出部と、
前記検出部が前記充電器に装着されたことを検出した場合には、前記制御データを前記充電器に送信する端末用送信部とを有する
請求項１から３のいずれか一に記載の充電器。
【請求項５】
携帯端末の充電機能を有する充電器の制御方法であって、
前記携帯端末の着脱を検出する第１のステップと、
前記携帯端末が出力した無線通信可能な被制御対象を制御するための前記制御データを受信する第２のステップと、
前記制御データに基づいて前記被制御対象を制御するか否かを判断する第３のステップと、
前記第１のステップにおいて前記携帯端末の着脱が検出され、前記被制御対象を制御するものと判断した場合に、前記第２のステップにおいて受信された前記制御データに基づいて前記被制御対象を制御する制御信号を生成する第４のステップと、
前記第４のステップにおいて生成された前記制御信号を前記被制御対象に送信する第５のステップと
を有する充電器の制御方法。
【発明の詳細な説明】
【技術分野】
【０００１】
本発明は、携帯電話機等の携帯端末を充電する充電器およびその制御方法に関するものである。
【背景技術】
【０００２】
赤外線を発するリモートコントローラ等によって、テレビジョンやエアーコンディショナ等の家電機器等を遠隔操作できる技術が広く普及している。これら家電機器等には赤外線を受光する受光部が設けられ、たとえば、ユーザがリモートコントローラを把持し、テレビジョン等に向けて赤外線を送信することで、電源のオンオフ切り替えや音量調整等の制御ができる。
【０００３】
便宜性向上のため、様々な改良が加えられたリモートコントローラが開示されている。たとえば、特許文献１には、１つのリモートコントローラで複数の家電機器を遠隔操作できるリモートコントローラが開示されている（たとえば特許文献１を参照）。
【０００４】
ところで、携帯電話機等の携帯端末にはバッテリが搭載され、充電器（クレードル）を用いてバッテリの充電を行う（たとえば特許文献２を参照）。
【特許文献１】特開２００７−３１８３８０号公報
【特許文献２】特開２００７−１２４２０５号公報
【発明の開示】
【発明が解決しようとする課題】
【０００５】
リモートコントローラは、家電機器等を遠隔操作する度に、リモートコントローラを直接操作して、家電機器を制御しなければならない。すなわち、家電機器を遠隔操作するためには、ユーザがリモートコントローラを把持し、制御すべき家電機器に向けて所定の操作キーを押下するという２つの操作ステップを踏む必要がある。このようなリモートコントローラは、ユーザの在宅状況を認識できないため、たとえばユーザの帰宅時間に合わせて家電機器の電源を自動制御でオンオフすることができない。
【０００６】
一般に使用される充電器は、携帯端末の充電を行うに過ぎず、充電器自体が他の機器を制御することは行われていない。
【０００７】
本発明は、家電機器等の被制御対象に対して日常行う操作ステップを削減できる充電器およびその制御方法を提供することにある。
【課題を解決するための手段】
【０００８】
本発明の第１の観点の充電器は、携帯端末の充電機能を有する充電器であって、前記携帯端末の着脱を検出する検出部と、制御信号を無線通信可能な被制御対象に送信する送信部と、前記携帯端末が出力した前記被制御対象を制御するための制御データを受信する受信部と、前記検出部が前記携帯端末の着脱を検出した場合に、前記受信部が受信した前記制御データに基づいて前記被制御対象を制御する前記制御信号を生成し、前記送信部に出力する制御部と、前記制御データに基づいて前記被制御対象を制御するか否かを判断する判断部を有し、前記制御部は、前記判断部が前記被制御対象を制御するものと判断した場合には、前記制御信号を生成する。
【００１０】
好適には、前記制御データには、前記被制御対象の制御を開始するトリガとなる情報が含まれ、前記判断部は、前記情報により、前記被制御対象を制御するか否かを判断する。
【００１１】
好適には、前記制御データを格納する記憶部を有し、前記制御部は、前記検出部が前記携帯端末の装着を検出した場合には、前記受信部が受信した前記制御データを前記記憶部に格納し、前記被制御対象を制御する場合には、前記記憶部に格納されている前記制御データを参照して前記制御信号を生成する。
【００１２】
好適には、前記携帯端末は、前記充電器に着脱されたことを検出する端末用検出部と、前記検出部が前記充電器に装着されたことを検出した場合には、前記制御データを前記充電器に送信する端末用送信部とを有する。
【００１３】
本発明の第２の観点の充電器の制御方法は、携帯端末の充電機能を有する充電器の制御方法であって、前記携帯端末の着脱を検出する第１のステップと、前記携帯端末が出力した無線通信可能な被制御対象を制御するための前記制御データを受信する第２のステップと、前記制御データに基づいて前記被制御対象を制御するか否かを判断する第３のステップと、前記第１のステップにおいて前記携帯端末の着脱が検出され、前記被制御対象を制御するものと判断した場合に、前記第２のステップにおいて受信された前記制御データに基づいて前記被制御対象を制御する制御信号を生成する第４のステップと、前記第４のステップにおいて生成された前記制御信号を前記被制御対象に送信する第５のステップとを有する。
【発明の効果】
【００１４】
本発明によれば、家電機器等の被制御対象に対して日常行う操作ステップを削減できる。
【発明を実施するための最良の形態】
【００１５】
以下、本発明の実施形態を図面に関連付けて説明する。
【００１６】
図１は、本実施形態に係る携帯電話機および充電器の構成例を示すブロック図である。
【００１７】
図１に図示するように、携帯端末としての携帯電話機１０は、操作部１１、表示部１２、端末記憶部１３、端末用充電検出部（本発明の端末用検出部に対応する）１４、充電回路１５、バッテリ１６、端末制御部１７、機器制御部１７１、端末用通信部（本発明の端末用送信部に対応する）１８、アンテナ１９、通信部１１０、音声処理部１１１、スピーカ１１２、マイクロフォン１１３、通信用電極Ｃ１０１、および充電用電極Ｃ１０２，Ｃ１０３を有する。
【００１８】
図１に図示するように、充電器２０は、充電検出部（本発明の検出部に対応する）２１、充電器用通信部（本発明の受信部に対応する）２２、充電器用制御部（本発明の制御部に対応する）２３、判断部２３１、充電器記憶部２４、ＲＴＣ２５、赤外線装置（本発明の送信部に対応する）２６ａ〜２６ｄ、充電器２７、通信用電極Ｃ２０１、および充電用電極Ｃ２０２，Ｃ２０３を有する。
【００１９】
携帯電話機１０は、被制御対象としての家電機器を遠隔操作するための制御方法を設定し、設定内容を制御データとして充電器２０に入力する入力端末として機能する。ここでいう家電機器とは、たとえば赤外線を発するリモートコントローラ等を用いて、電源のオンオフ等の遠隔操作が可能なエアーコンディショナやテレビジョン等を指す。
【００２０】
携帯電話機１０は、図示しない基地局と通信し、図示しないネットワークを介して、音声通話、電子メールの作成とその送受信、ＷＥＢサイトやコンテンツデータ（たとえば動画像、静止画像）の閲覧等を行う機能を有する。
【００２１】
充電器２０は、携帯電話機１０がセット（装着）されるとバッテリ１６の充電を開始し、携帯電話機１０がリリース（脱着）されると充電を終了する充電器としての機能を有する。
【００２２】
充電器２０は、携帯電話機１０から入力された制御データに基づいて、携帯電話機１０がセットおよびリリースされた場合に、家電機器を制御する機能を有する。充電器２０は、ユーザによって設定された時刻に達すると家電機器を制御するスケジュール機能を有する。
【００２３】
はじめに、図１を参照しながら携帯電話機１０の構成要素について説明する。
【００２４】
操作部１１は、たとえば電源キー、通話キー、数字キー、文字キー、方向キー、決定キー、発信キーなど各種機能が割り当てられた複数のキーを有する。操作部１１は、これらのキーがユーザによって操作された場合、その操作内容に対応する信号を発生し、これをユーザの指示として端末制御部１７に出力する。
【００２５】
端末記憶部１３は、たとえば不揮発性の記憶デバイス（フラッシュメモリ）やＳＲＡＭ、ＤＲＡＭ等の記憶デバイス等で構成され、家電機器を制御するための制御データを記憶する。
【００２６】
制御データは、主に、赤外線設定情報ＤＡＴ１、家電機器を制御する際のトリガとなるカレンダ情報ＤＡＴ２および時間情報ＤＡＴ３によって構成されている。
【００２７】
赤外線設定情報ＤＡＴ１は、制御すべき家電機器に対応した制御コード、家電機器の制御方法に関する設定情報が記載されている。家電機器の制御方法に関する設定情報は、たとえば携帯電話機１０を充電器２０にセットすると、制御すべき家電機器の電源をオンに切り替えるという設定情報である。なお、ユーザがこの赤外線設定情報ＤＡＴ１を設定する操作のことを赤外線情報設定操作ＳＥＴ１という。
【００２８】
カレンダ情報ＤＡＴ２は、制御すべき家電機器の制御開始年月日あるいは制御終了年月日等に関する年情報、月情報、日情報等で構成されている。なお、ユーザがこのカレンダ情報ＤＡＴ２を設定する操作のことをカレンダ情報設定操作ＳＥＴ２という。
【００２９】
時間情報ＤＡＴ３は、制御すべき制御開始時刻（時間）あるいは制御終了時刻等に関する時情報、分情報、秒情報で構成されている。なお、ユーザがこの時間情報ＤＡＴ３を設定する操作のことを時間情報設定操作ＳＥＴ３という。
【００３０】
端末記憶部１３は、他に、端末制御部１７の出力結果、端末制御部１７が実行するアプリケーションプログラム、プログラムの処理過程で利用される一時的なデータ等を記憶する。
【００３１】
端末用充電検出部１４は、充電の開始または充電の終了を検出する。詳細には、携帯電話機１０が充電器２０にセットされると、通信用電極Ｃ１０１と充電器２０の通信用電極Ｃ２０１とが接続され、充電用電極Ｃ１０２と充電器２０の充電用電極Ｃ２０２とが接続され、充電用電極Ｃ１０３と充電器２０の充電用電極Ｃ２０３とが接続される。
【００３２】
このとき、端末用充電検出部１４と充電器２０の充電検出部２１との間に電流が流れ、端末用充電検出部１４は、この電流を検出することで充電の開始を認識する。携帯電話機１０が充電器２０からリリースされた場合は、端末用充電検出部１４は、この電流が検出できなくなったことで充電の終了を認識する。換言すれば、端末用充電検出部１４は、携帯電話機１０が充電器２０にセットされたこと、またはリリースされたことを検出する。なお、図１は、携帯電話機１０が充電器２０にセットされた状態を示している（各電極Ｃ１０１〜Ｃ１０３が対応する充電器の各電極Ｃ２０１〜Ｃ２０３に接続されている）。
【００３３】
充電回路１５は、充電が開始された場合、端末用充電検出部１４から供給された電力を携帯電話機１０の駆動に必要な電力に変換し、電源としてのバッテリ１６に供給する。
【００３４】
バッテリ１６は、たとえばリチウムイオン電池等の充電電池であって、充電時には充電回路１５から電力が供給されて充電される。バッテリ１６は、携帯電話機１０を構成する端末制御部１７等の電子部品に電力を供給する。
【００３５】
端末制御部１７は、携帯電話機１０の全体的な動作を統括する。すなわち、端末制御部１７は、携帯電話機１０の各種処理（ネットワークを介して行われる音声通話、電子メールの作成とその送受信、ＷＥＢサイトの閲覧等の制御）がユーザによる操作部１１の操作に応じて適切な手順で実行されるように、各構成要素（通信部１１０における電波信号の送受信、音声処理部１１１における音声の入出力、表示部１２における画像の表示、端末記憶部１３とのアクセス等）を制御する。
【００３６】
端末制御部１７は、端末記憶部１３に格納されたプログラム（オペレーティングシステム、アプリケーションプログラム等）に基づいて処理を実行するコンピュータ（マイクロプロセッサ）を備えており、このプログラムにおいて指示された手順に従って上述した処理を実行することができる。すなわち、端末制御部１７は、端末記憶部１３に格納されたオペレーションシステムやアプリケーションプログラムから命令コードを順次読み込んで処理を実行することができる。
【００３７】
機器制御部１７１は、端末用充電検出部１４から充電開始の信号を受けると、端末記憶部１３の制御データを充電器２０に送信するように端末用通信部１８を制御する。
【００３８】
端末用通信部１８は、機器制御部１７１の制御に基づいて、たとえばシリアル通信により充電器２０の充電器用通信部２２と通信する。
【００３９】
通信部１１０は、端末制御部１７の制御に基づいて、通話等の音声データ、電子メール等の文字情報、動画像データ等のデータ通信を接続されている基地局との間でアンテナ１９を介して無線通信する。
【００４０】
音声処理部１１１は、端末制御部１７から供給された音声データに符号化、デジタル・アナログ（Ｄ／Ａ）変換、増幅等の信号処理を施し、アナログの音声信号に変換した上でスピーカ１１２に出力する。音声処理部１１１は、マイクロフォン１１３から入力された音声を増幅し、アナログ・デジタル（Ａ／Ｄ）変換を行い、さらに符号化等の処理を施し、デジタルの音声データに変換した上で端末制御部１７に出力する。
【００４１】
次に、図１を参照しながら充電器２０の構成要素について説明する。
【００４２】
充電検出部２１は、充電の開始または充電の終了を検出すると共に、充電時には、充電器２７が出力した電力を携帯電話機１０の端末用充電検出部１４を介してバッテリ１６に供給する。充電検出部２１の検出方法等は、端末用充電検出部１４にて説明した方法と同様であるため、割愛する。
【００４３】
充電器用通信部２２は、充電器制御部２３の制御に基づいて、たとえばシリアル通信により充電器２０の充電器用通信部２２と通信する。
【００４４】
充電器制御部２３は、充電器制御部２３は、充電器記憶部２４に格納された赤外線設定情報ＤＡＴ１を参照し、制御すべき家電機器の制御コードに対応した制御信号を生成する。
【００４５】
充電器制御部２３は、充電器２０の全体的な動作を統括する。充電器２０の各種処理（充電器記憶部２４とのアクセス、ＲＴＣ２５が計時する日時刻の取得、赤外線装置２６ａ〜２６ｄの制御等）が、携帯電話機１０から入力された制御データに基づいて適切な手順で実行されるように、各構成要素（充電器用通信部２２、充電器記憶部２４、赤外線装置２６ａ〜２６ｄ等）を制御する。
【００４６】
充電器制御部２３は、充電器記憶部２４に格納されたプログラム（オペレーティングシステム、アプリケーションプログラム等）に基づいて処理を実行するコンピュータを備えており、このプログラムにおいて指示された手順に従って上述した処理を実行することができる。すなわち、充電器制御部２３は、充電器記憶部２４に格納されたオペレーションシステムやアプリケーションプログラムから命令コードを順次読み込んで処理を実行することができる。
【００４７】
判断部２３１は、ＲＴＣ２５が計時する年情報、月情報、日情報、時情報、分情報、秒情報（単に日時という）と、カレンダ情報ＤＡＴ２および時間情報ＤＡＴ３の日時とを比較し、制御すべき家電機器を制御する必要があるか否かを判断する。
【００４８】
充電器記憶部２４は、たとえば不揮発性の記憶デバイス（フラッシュメモリ）やランダムアクセス可能な記憶デバイス（ＳＲＡＭ、ＤＲＡＭ）等で構成されている。充電器記憶部２４は、携帯電話機１０から入力された赤外線設定情報ＤＡＴ１、カレンダ情報ＤＡＴ２、および時間情報ＤＡＴ３を記憶する。充電器記憶部２４は、他に、充電器制御部２３の出力結果、充電器制御部２３が実行するアプリケーションプログラム、プログラムの処理過程で利用される一時的なデータ等を記憶する。
【００４９】
ＲＴＣ２５は、時刻を計時し、年情報、月情報、日情報、時情報、分情報、秒情報を充電器制御部２３に出力する。
【００５０】
赤外線装置２６ａ〜２６ｄは、たとえば赤外線を発光可能な赤外線ＬＥＤ（Light Emitting Diode）で各々構成され、充電器制御部２３の制御の下、充電器制御部２３が生成した制御信号を赤外線として送信（出力）する。
【００５１】
充電器２７は、図示しない電源コード（図３の電源コード２８を参照）に接続され、電源コードを介して供給された商用周波数の交流電流を携帯電話機１０が駆動可能な直流電流に変換し、変換された直流電流を充電検出部２１に出力する。
【００５２】
つづいて、上述した構成の携帯電話機１０および充電器２０の外観について、図２および図３を参照しながら説明する。
【００５３】
図２は、図１に示す携帯電話機の一例を示す平面図である。なお、図２（Ａ）は本実施形態に係る携帯端末の操作面側の平面図であり、図２（Ｂ）は本実施形態に係る携帯端末の背面図である。
【００５４】
図３は、図１に示す充電器の一例を示す平面図および斜視図である。図３（Ａ）は本実施形態に係る充電器の上面を示す平面図であり、図３（Ｂ）は本実施形態に係る充電器の側面を示す側面図であり、図３（Ｃ）は本実施形態に係る携帯端末が充電器に装着された場合の斜視図である。
【００５５】
携帯電話機１０の操作部１１、表示部１２、スピーカ１１２およびマイクロフォン１１３は、図２（Ａ）に図示するように、携帯電話機１０の筐体の操作面側に取り付けられている。通信用電極Ｃ１０１、および充電用電極Ｃ１０２、Ｃ１０３は、図２（Ｂ）に図示するように、携帯電話機１０の筐体の背面側に配置されている。携帯電話機１０には、アンテナ１９が自由に伸縮できるように取り付けられている。
【００５６】
充電器２０の通信用電極Ｃ２０１および充電用電極Ｃ２０２、Ｃ２０３は、図３（Ａ）に図示するように充電器２０の上面（図２（Ｂ）に図示する携帯電話機１０の各電極と接する面）に取り付けられている。ただし、通信用電極Ｃ２０１および充電用電極Ｃ２０２、Ｃ２０３は、図２（Ｂ）に図示する携帯電話機１０の対応する各電極と電気的に接続（接触）できる位置に取り付けられている（図３（Ｃ）を参照）。
【００５７】
赤外線装置２６ａ〜２６ｄは、図３（Ａ）および図３（Ｂ）に図示するように、赤外線ＬＥＤが発する赤外線が送出できるように、赤外線送出面が充電器２０の筐体から突出あるいは筐体表面上に表出するように取り付けられている。赤外線装置２６ａ〜２６ｄは、赤外線通信可能範囲が部屋全体（図４を参照）をカバーできるように、充電器２０の各側面に取り付けられている。
【００５８】
電源コード２８は、充電器２０の筐体から延出しており、その先端には、不図示の電源プラグが設けられている。電源プラグが商用周波数の電力を供給するための電源コンセントに挿入され、電力が電源コード２８を介して充電器２７に供給される。
【００５９】
携帯電話機１０のバッテリ１６を充電する際には、図３（Ｃ）に図示するように、携帯電話機１０の背面の各電極が充電器２０の対応する各電極と電気的に接続（接触）されるように、携帯電話機１０を充電器２０にセットする。このとき、通信用電極Ｃ１０１とＣ２０１とが電気的に接続され、充電用電極Ｃ１０２とＣ２０２とが電気的に接続され、充電用電極Ｃ１０３とＣ２０３とが電気的に接続される。その結果、充電器２０からの電力が充電用電極を介してバッテリ１６に供給され、バッテリ１６が充電される。充電終了後には、携帯電話機１０を充電器２０からリリースすればよい。
【００６０】
次に、携帯電話機１０および充電器２０の動作を図４〜図６に関連づけて説明する。
【００６１】
図４は、本実施形態に係る充電器の配置例およびその動作例を説明するための概念図である。図５は、本実施形態に係る携帯電話機が充電器に装着された場合における携帯電話機および充電器の動作例を示すシーケンス図である。図６は、本実施形態に係る携帯電話機が充電器から脱着された場合における携帯電話機および充電器の動作例を示すシーケンス図である。
【００６２】
図４に図示するように、一例として、エアーコンディショナ３２、テレビジョン３３およびビデオテープレコーダ３４のような赤外線通信で制御可能な家電機器が配置されているものとする。そして、充電器２０が、これらの家電機器と赤外線通信が可能な範囲、たとえば部屋３０内部の充電器台３０１上に配置されている。なお、エアーコンディショナ３２、テレビジョン３３およびビデオテープレコーダ３４は、充電器２０が出力する赤外線を受光するための赤外線受光部３５ａ〜３５ｃを各々有するものとする。説明の単純化のため、充電器２０がエアーコンディショナ３２を制御（たとえば電源のオン、オフ）する場合について説明する。
【００６３】
（セット時の動作）
図５を参照しながら、携帯電話機１０を充電器２０にセットした場合の携帯電話機１０および充電器２０の動作について説明する。
【００６４】
はじめに、ユーザによる赤外線情報設定操作ＳＥＴ１、カレンダ情報設定操作ＳＥＴ２および時間情報設定操作ＳＥＴ３が制御データとして反映され、端末記憶部１３に赤外線設定情報ＤＡＴ１、カレンダ情報ＤＡＴ２および時間情報ＤＡＴ３として格納されているものとする。
【００６５】
このとき、赤外線設定情報ＤＡＴ１には、携帯電話機１０を充電器２０にセットすると、エアーコンディショナ３２の電源をオンに切り替え、携帯電話機１０を充電器２０からリリースすると、電源をオフに切り替える旨の設定が書き込まれているものとする。カレンダ情報ＤＡＴ２および時間情報ＤＡＴ３にも、エアーコンディショナ３２を制御する日時が書き込まれているものとする。
【００６６】
携帯電話機１０が充電器２０にセットされると（ＳＴ１１）、通信用電極Ｃ１０１とＣ２０１とが接続され、充電用電極Ｃ１０２とＣ２０２とが接続され、充電用電極Ｃ１０３とＣ２０３とが接続される。これにより、端末用充電検出部１４は、携帯電話機１０のセットを検出し（ステップＳＴ１２）、続いて、充電検出部２１も携帯電話機１０のセットを検出する（ステップＳＴ１３）。すなわち、端末用充電検出部１４および充電検出部２１は、充電開始を認識する。
【００６７】
機器制御部１７１は、端末用充電検出部１４から充電開始の信号を受けると、端末記憶部１３の制御データを充電器２０に送信するように端末用通信部１８を制御する（ステップＳＴ１４）。このとき、充電器用通信部２２は、制御データの受信を待つ待機状態であり（ステップＳＴ１５）、端末用通信部１８が、送信開始の合図を充電器用通信部２２に送信すると（ステップＳＴ１６）、充電器用通信部２２は、端末用通信部１８から送信開始の合図を受信し、制御データを受信できる状態となる（ステップＳＴ１７）。
【００６８】
機器制御部１７１は、充電器２０と通信可能な状態になったため、端末記憶部１３の赤外線設定情報ＤＡＴ１を送信するように端末用通信部１８を制御する。端末用通信部１８は、赤外線設定情報ＤＡＴ１を充電器用通信部２２に送信し（ステップＳＴ１９）、充電器用通信部２２が赤外線設定情報ＤＡＴ１を端末用通信部１８から受信すると、充電器制御部２３は、赤外線設定情報ＤＡＴ１を充電器記憶部２４に格納する（ステップＳＴ１１０）。
【００６９】
続いて、端末用通信部１８は、カレンダ情報ＤＡＴ２を充電器用通信部２２に送信し（ステップＳＴ１１１）、充電器用通信部２２がカレンダ情報ＤＡＴ２を端末用通信部１８から受信すると、充電器制御部２３は、カレンダ情報ＤＡＴ２を充電器記憶部２４に格納する（ステップＳＴ１１２）。
【００７０】
同様にして、端末用通信部１８は、時間情報ＤＡＴ３を充電器用通信部２２に送信し（ステップＳＴ１１３）、充電器用通信部２２が時間情報ＤＡＴ３を端末用通信部１８から受信すると、充電器制御部２３は、時間情報ＤＡＴ３を充電器記憶部２４に格納する（ステップＳＴ１１４）。
【００７１】
制御データの送信後、端末用通信部１８は、送信終了の合図を充電器用通信部２２に送信する（ステップＳＴ１１５）。充電器用通信部２２は、送信終了の合図を端末用通信部１８から受信し、充電器制御部２３が制御可能状態となった後（ステップＳＴ１１６）、端末用通信部１８は、制御データの送信を終了する（ステップＳＴ１１７）。
【００７２】
充電器制御部２３は、充電器記憶部２４に格納された時間情報ＤＡＴ３を読み出し（ステップＳＴ１１８）、続いて、カレンダ情報ＤＡＴ２を読み出す（ステップＳＴ１１９）。
【００７３】
判断部２３１は、ＲＴＣ２５が計時する日時と、カレンダ情報ＤＡＴ２および時間情報ＤＡＴ３の日時とを比較し、エアーコンディショナ３２を制御する必要があるか否かを判断する（ステップＳＴ１２０）。両日時が一致する場合（ＹＥＳ）、充電器制御部２３は、充電器記憶部２４に格納された赤外線設定情報ＤＡＴ１を読み出し（ステップＳＴ１２１）、赤外線設定情報ＤＡＴ１に基づいてエアーコンディショナ３２の電源がオンに切り替わるような制御信号を生成して赤外線装置２６ａ〜２６ｄに出力し、赤外線装置２６ａ〜２６ｄが制御信号を赤外線として送信する（ステップＳＴ１２２）。
【００７４】
その結果、エアーコンディショナ３２の赤外線受光部３５ａが、赤外線装置２６ａ〜２６ｄから制御信号を受け、エアーコンディショナ３２の電源はオンに切り替わる。
【００７５】
一方、ステップＳＴ１２０において、両日時が一致しない場合（ＮＯ）、一連の処理が終了する。
【００７６】
（リリース時の動作）
次に、図６を参照しながら、携帯電話機１０を充電器２０からリリースした場合の携帯電話機１０および充電器２０の動作について説明する。
【００７７】
携帯電話機１０が充電器２０からリリースされると（ＳＴ２１）、通信用電極Ｃ１０１とＣ２０１との接続が切断され、充電用電極Ｃ１０２とＣ２０２との接続が切断され、充電用電極Ｃ１０３とＣ２０３との接続が切断される。これにより、端末用充電検出部１４は、携帯電話機１０のリリースを検出し（ステップＳＴ２２）、続いて、充電検出部２１も、携帯電話機１０のリリースを検出する（ステップＳＴ２３）。すなわち、端末用充電検出部１４および充電検出部２１は、充電終了を認識する。
【００７８】
バッテリ１６の充電が完了した後（ステップＳＴ２４）、再び、エアーコンディショナ３２の制御（たとえば電源をオフに切り替える）が実行される。具体的には、充電器制御部２３は、充電器記憶部２４に格納された時間情報ＤＡＴ３を読み出し（ステップＳＴ２６）、続いて、カレンダ情報ＤＡＴ２を読み出す（ステップＳＴ２７）。
【００７９】
判断部２３１は、ＲＴＣ２５が計時する日時と、時間情報ＤＡＴ３およびカレンダ情報ＤＡＴ２の日時とを比較し、エアーコンディショナ３２を制御する必要があるか否かを判断する（ステップＳＴ２８）。両日時が一致する場合（ＹＥＳ）、充電器制御部２３は、充電器記憶部２４に格納された赤外線設定情報ＤＡＴ１を読み出し（ステップＳＴ２９）、赤外線設定情報ＤＡＴ１に基づいてエアーコンディショナ３２の電源がオフに切り替わるような制御信号を生成して赤外線装置２６ａ〜２６ｄに出力し、赤外線装置２６ａ〜２６ｄが制御信号を赤外線として送信する（ステップＳＴ２１０）。
【００８０】
その結果、エアーコンディショナ３２の赤外線受光部３５ａが、赤外線装置２６ａ〜２６ｄから制御信号を受け、エアーコンディショナ３２の電源はオフに切り替わる。
【００８１】
一方、ステップＳＴ２８において、両日時が一致しない場合（ＮＯ）、一連の処理が終了する。
【００８２】
以上詳細に説明したように、携帯電話機１０を充電器２０にセットすると、エアーコンディショナ３２の電源がオンに切り替わり、携帯電話機１０を充電器２０からリリースすると、エアーコンディショナ３２の電源がオフに切り替わる。
【００８３】
エアーコンディショナ３２の制御に加え、たとえば、図４に示すテレビジョン３５（ビデオテープレコーダ３４でもよい）も制御（たとえば電源のオン、オフ）する場合には、次のようにすればよい。たとえば、赤外線設定情報ＤＡＴ１に、携帯電話機１０を充電器２０にセットすると、テレビジョン３５の電源をオンに、携帯電話機１０を充電器２０からリリースすると、電源をオフに切り替えるような設定を追記しておく。カレンダ情報ＤＡＴ２および時間情報ＤＡＴ３にも、テレビジョン３５を制御する日時を追記しておく。
【００８４】
そして、制御対象の家電機器ごとに、携帯電話機１０のセット時には、たとえばステップＳＴ１２０〜ＳＴ１２２の処理を繰り返すようにし、携帯電話機１０のリリース時には、たとえばステップＳＴ２８〜ＳＴ２１０の処理を繰り返すようにすればよい。
【００８５】
なお、携帯電話機１０が充電器２０にセットされ、リリースされるまでの間に、バッテリ１６が充電されていることは言うまでもない。
【００８６】
本実施形態では、図５または図６で説明した処理の後に、充電器２９がスケジュール機能を利用して単独で家電機器を制御することができる。具体例について図７を参照しながら説明する。
【００８７】
図７は、本実施形態に係る携帯電話機のリリース後に充電器が行う動作例を示すシーケンス図である。
【００８８】
以下の説明では、携帯電話機１０がセットされた場合の処理が実行された後（図５に図示するステップＳＴ１１〜ＳＴ１２２）、携帯電話機１０がリリースされた場合の処理が実行され（図６に図示するステップＳＴ２１〜ＳＴ１２１０）たものとする。すなわち、充電器記憶部２４には、赤外線設定情報ＤＡＴ１、カレンダ情報ＤＡＴ２および時間情報ＤＡＴ３が格納され、携帯電話機１０はリリースされている。
【００８９】
このとき、カレンダ情報ＤＡＴ２および時間情報ＤＡＴ３には、スケジュール機能を実行するための開始時刻、終了時刻、時間間隔等が書き込まれているものとする。赤外線設定情報ＤＡＴ１には、開始時刻に達すると、エアーコンディショナ３２の電源をオンに、終了時刻に達すると、電源をオフに切り替える設定が書き込まれているものとする。
【００９０】
充電器制御部２３は、ＲＴＣ２５が計時する時刻が、カレンダ情報ＤＡＴ２および時間情報ＤＡＴ３に設定されている開始時刻に達すると（ステップＳＴ３１）、図５に図示するステップＳＴ１１８〜ＳＴ１２２、または図５に図示するステップＳＴ２６〜ＳＴ２１０と同様の処理を実行する。
【００９１】
すなわち、充電器制御部２３は、充電器記憶部２４に格納された時間情報ＤＡＴ３を読み出し（ステップＳＴ３１）、続いて、カレンダ情報ＤＡＴ２を読み出す（ステップＳＴ３２）。
【００９２】
判断部２３１は、ＲＴＣ２５が計時する日時と、時間情報ＤＡＴ３およびカレンダ情報ＤＡＴ２の日時とを比較し、エアーコンディショナ３２を制御する必要があるか否かを判断する（ステップＳＴ３４）。両日時が一致する場合（ＹＥＳ）、充電器制御部２３は、充電器記憶部２４に格納された赤外線設定情報ＤＡＴ１を読み出し（ステップＳＴ３５）、赤外線設定情報ＤＡＴ１に基づいてエアーコンディショナ３２の電源がオンに切り替わるような制御信号を生成して赤外線装置２６ａ〜２６ｄに出力し、赤外線装置２６ａ〜２６ｄが制御信号を赤外線として送信する。（ステップＳＴ３６）。その結果、エアーコンディショナ３２の電源がオンに切り替わる。
【００９３】
一方、ステップＳＴ３４において、両日時が一致しない場合（ＮＯ）、一連の処理が終了する。
【００９４】
ＲＴＣ２５が計時する時刻が終了時刻に達したときには、エアーコンディショナ３２の電源がオフとなるように、上述のステップＳＴ３１〜ＳＴ３６が実行される。所定間隔（たとえば１時間など）ごとに家電機器を制御する場合もステップＳＴ３１〜ＳＴ３６と同様の処理が実行される。
【００９５】
本実施形態によれば、携帯電話機１０の充電機能を有する充電器２０であって、携帯電話機１０の着脱を検出する充電検出部２１と、制御信号を無線通信可能な被制御対象に送信する赤外線装置２６ａ〜２６ｄと、携帯電話機１０が出力した被制御対象を制御するための制御データを受信する充電器用通信部２２と、充電器用通信部２２が携帯電話機１０の着脱を検出した場合に、充電器用通信部２２が受信した制御データに基づいて被制御対象を制御する制御信号を生成し、赤外線装置２６ａ〜２６ｄに出力する充電器制御部２３とを有することから、次のような効果を得ることができる。
【００９６】
制御データの入力端末として携帯電話機を使用し、携帯電話機を充電するという日常の動作、すなわち携帯電話機のセットまたはリリースという動作と連動して家電機器が遠隔操作されるため、制御すべき家電機器に向けて所定の操作キーを押下するという操作ステップが不要となる利点がある。本実施形態は、たとえば照明器具のような家電機器を、外出時には電源をオフにし、帰宅時には電源をオンにするような、日常行う遠隔操作に対して特に有効である。
【００９７】
携帯電話機のセットまたはリリースという動作と連動して家電機器が遠隔操作されるため、電源の切り忘れ、あるいは付け忘れを防止することができる。充電器２０は、スケジュール機能を有するため、よりきめ細やかな家電機器の制御が可能である。
【００９８】
充電器２０は、家電機器の電源のオンオフ以外に、たとえばエアーコンディショナ３２の温度設定やテレビジョン３３の音量調節等、家電機器の制御可能な内容の範囲内で実行することができる。充電器２０が家電機器との通信で使用する周波数は、家電機器が対応していれば赤外線に限らず、たとえばＶＨＦ帯域でもよい。
【００９９】
本実施携帯において、携帯電話機１０と充電器２０との間で行われる通信および充電は、携帯電話機１０の各電極Ｃ１０１〜Ｃ１０３が対応する充電器の各電極Ｃ２０１〜Ｃ２０３と接触することにより実行されるが、携帯電話機１０と充電器２０との間で通信および充電が可能であれば、本発明を携帯電話機１０と接触することなく充電可能な非接触型の充電器に適用することができる。この場合、たとえば端末用通信部１８および充電器用通信部２２間のデータの送受信を無線通信で実行できるようにすればよい。
【０１００】
本実施形態に係る携帯電話機において、端末制御部１７を含め、この構成要素が有する機能は、すべてをソフトウェアによって実現しても、あるいはその一部をハードウェアで実現してもよい。本実施形態に係る充電器においても、充電器制御部２３を含め、この構成要素が有する機能は、すべてをソフトウェアによって実現しても、あるいはその一部をハードウェアで実現してもよい。たとえば、機器制御部１７１（または判断部２３１）におけるデータ処理は、１または複数のプログラムにより、コンピュータ上で実現してもよいし、その少なくとも一部をハードウェアで実現してもよい。
【０１０１】
本実施形態では、携帯端末として携帯電話機を例示したが、本実施形態と同様の構成を有するＰＤＡ（Personal Digital Assistant）やゲーム機などにも適用可能である。
【図面の簡単な説明】
【０１０２】
【図１】実施携帯に係る携帯電話機および充電器の構成例を示すブロック図である。
【図２】図１に示す携帯電話機の一例を示す平面図である。
【図３】図１に示す充電器の一例を示す平面図および斜視図である。
【図４】実施形態に係る充電器の配置例およびその動作例を説明するための概念図である。
【図５】実施形態に係る携帯電話機が充電器に装着された場合における携帯電話機および充電器の動作例を示すシーケンス図である。
【図６】実施形態に係る携帯電話機が充電器から脱着された場合における携帯電話機および充電器の動作例を示すシーケンス図である。
【図７】実施形態に係る携帯電話機のリリース後に充電器が行う動作例を示すシーケンス図である。
【符号の説明】
【０１０３】
１０…携帯電話機、１１…操作部、１２…表示部、１３…端末記憶部、１４…端末用充電検出部、１５…充電回路、１６…バッテリ、１７…端末制御部、１８…端末用通信部、１９…アンテナ、１１０…通信部、１１１…音声処理部、１１２…スピーカ、１１３…マイクロフォン、１７１…機器制御部、２０…充電器、２１…充電検出部、２２…充電器用通信部、２３…充電器制御部、２４…充電器記憶部、２５…ＲＴＣ、２６ａ〜２６ｄ…赤外線装置、２７…充電器、２８…電源コード、２９…充電器、２３１…判断部、３０…部屋、３２…エアーコンディショナ、３３…テレビジョン、３４…ビデオテープレコーダ、３５…テレビジョン、３５ａ〜３５ｃ…赤外線受光部、３０１…充電器台、Ｃ１０１、Ｃ２０１…通信用電極、Ｃ１０２〜Ｃ１０３、Ｃ２０２〜Ｃ２０３…充電用電極、ＤＡＴ１…赤外線設定情報、ＤＡＴ２…カレンダ情報、ＤＡＴ３…時間情報、ＳＥＴ１…赤外線情報設定操作、ＳＥＴ２…カレンダ情報設定操作、ＳＥＴ３…時間情報設定操作
【図１】
0005365059.tif 000002
【図２】
0005365059.tif 000003
【図３】
0005365059.tif 000004
【図４】
0005365059.tif 000005
【図５】
0005365059.tif 000006
【図６】
0005365059.tif 000007
【図７】
0005365059.tif 000008